(57)【要約】【課題】乗り場錠スイッチの接点の接触不良を正確に予知することが可能なエレベータシステムを提供する。【解決手段】このエレベータシステムでは、乗り場錠スイッチ１が開けられたときに閉じられ、乗り場錠スイッチ１が閉じられたときに開けられるモニタ用スイッチ６を設け、モニタ用スイッチ６が閉じられたときにモニタ用スイッチ６の端子間の抵抗値を検出し、その検出値に基づいて乗り場錠スイッチ１の接点２〜４の接触不良を予知する。したがって、乗り場錠スイッチ１の接点２〜４の非接触部の抵抗値を間接的にモニタすることができ、乗り場錠スイッチ１の接点２〜４の接触不良を正確に予知できる。【選択図】図１
2012176832.tif 000002
【特許請求の範囲】
【請求項１】
複数階に亘って設けられた昇降路と、前記昇降路内を移動する移動室と、各階の乗り場と前記昇降路との間に設けられた乗り場ドアと、前記乗り場ドアと連動して開閉する乗り場錠スイッチとを備え、全階の前記乗り場錠スイッチが閉状態の場合だけ前記移動室の移動が可能となるエレベータシステムであって、
所定のタイミングで開閉されるモニタ用スイッチと、
前記モニタ用スイッチが閉じられたときに前記モニタ用スイッチの端子間の抵抗値を検出する抵抗検出部とを備え、
前記抵抗検出部によって検出された抵抗値に基づいて前記乗り場錠スイッチの接点の接触不良が予知される、エレベータシステム。
【請求項２】
前記乗り場錠スイッチが開けられると前記モニタ用スイッチは閉じられ、前記乗り場錠スイッチが閉じられると前記モニタ用スイッチは開けられる、請求項１に記載のエレベータシステム。
【請求項３】
前記モニタ用スイッチおよび前記抵抗検出部は、前記複数階のうちの選択された階に対応して設けられ、
前記モニタ用スイッチは、対応の階の前記乗り場錠スイッチと同じ環境下に置かれる、請求項１または請求項２に記載のエレベータシステム。
【請求項４】
前記モニタ用スイッチおよび前記抵抗検出部は各階に対応して設けられ、
前記モニタ用スイッチは、対応の階の前記乗り場錠スイッチと同じ環境下に置かれる、請求項１または請求項２に記載のエレベータシステム。
【請求項５】
前記モニタ用スイッチは固定接点と可動接点を含み、
さらに、前記固定接点と前記可動接点の接触位置を所定のタイミングで変化させる駆動部を備える、請求項１から請求項４までのいずれかに記載のエレベータシステム。
【請求項６】
複数階に亘って設けられた昇降路と、前記昇降路内を移動する移動室と、各階の乗り場と前記昇降路との間に設けられた乗り場ドアと、前記乗り場ドアと連動して開閉する乗り場錠スイッチと、全階の前記乗り場錠スイッチが閉状態の場合だけ前記移動室の移動が可能となるエレベータシステムを管理する方法であって、
所定のタイミングで開閉されるモニタ用スイッチを設け、
前記モニタ用スイッチが閉じられたときに前記モニタ用スイッチの端子間の抵抗値を検出し、その検出値に基づいて前記乗り場錠スイッチの接点の接触不良の発生を予知する、エレベータシステムの管理方法。
【請求項７】
前記乗り場錠スイッチが開けられると前記モニタ用スイッチは閉じられ、前記乗り場錠スイッチが閉じられると前記モニタ用スイッチは開けられる、請求項６に記載のエレベータシステムの管理方法。
【請求項８】
前記モニタ用スイッチおよび前記抵抗検出部は、前記複数階のうちの選択された階に対応して設けられ、
前記モニタ用スイッチは、対応の階の前記乗り場錠スイッチと同じ環境下に置かれる、請求項６または請求項７に記載のエレベータシステムの管理方法。
【請求項９】
前記モニタ用スイッチおよび前記抵抗検出部は各階に対応して設けられ、
前記モニタ用スイッチは、対応の階の前記乗り場錠スイッチと同じ環境下に置かれる、請求項６または請求項７に記載のエレベータシステムの管理方法。
【請求項１０】
前記モニタ用スイッチは固定接点と可動接点を含み、
さらに、前記固定接点と前記可動接点の接触位置を所定のタイミングで変化させる、請求項６から請求項９までのいずれかに記載のエレベータシステムの管理方法。
【発明の詳細な説明】
【技術分野】
【０００１】
この発明はエレベータシステムおよびその管理方法に関し、特に、乗り場ドアと連動して開閉する乗り場錠スイッチを備えたエレベータシステムと、その管理方法に関する。
【背景技術】
【０００２】
以前より、エレベータシステムでは、乗り場ドアと連動して開閉する乗り場錠スイッチが設けられ、全階の乗り場錠スイッチが閉状態の場合だけ移動室の移動を可能にしている。また、乗り場ドアが閉じられたときに乗り場錠スイッチの端子間電圧を検出し、検出値が基準値を越えた場合に乗り場錠スイッチの接触不良の発生を予知することにより、保守点検作業の手間を軽減する方法もある（たとえば、特許文献１参照）。
【先行技術文献】
【特許文献】
【０００３】
【特許文献１】特開平９−２７６４号公報
【発明の概要】
【発明が解決しようとする課題】
【０００４】
特許文献１の方法では、乗り場錠スイッチの端子間電圧を検出するとき、乗り場錠スイッチは常に閉じられた状態にある。この状態において、乗り場錠スイッチの接点の接触部分は通電状態となっている。一方、接点の非接触部分の表面は、汚れや硫化などで導電性が低くなり、高抵抗化することがある。そして、接点の機械的磨耗などによって接点の接触位置が変化し、接点の高抵抗部分に接触位置が変わった場合、接点の接触不良が起きてしまう。
【０００５】
しかるに、特許文献１では、常に閉じている接点の接触部分の導電性の低下を検知することにより接点の接触不良を予知しており、接点の非接触部分の表面の導電性の低下が起こった後、接触位置が変わった場合における接点の接触不良の検知が困難であるという課題がある。
【０００６】
それゆえに、この発明の主たる目的は、乗り場錠スイッチの接点の接触不良を正確に予知することが可能なエレベータシステムと、その管理方法を提供することである。
【課題を解決するための手段】
【０００７】
この発明に係るエレベータシステムは、複数階に亘って設けられた昇降路と、昇降路内を移動する移動室と、各階の乗り場と昇降路との間に設けられた乗り場ドアと、乗り場ドアと連動して開閉する乗り場錠スイッチとを備え、全階の乗り場錠スイッチが閉状態の場合だけ移動室の移動が可能となるエレベータシステムであって、所定のタイミングで開閉されるモニタ用スイッチと、モニタ用スイッチが閉じられたときにモニタ用スイッチの端子間の抵抗値を検出する抵抗検出部とを備えたものである。抵抗検出部によって検出された抵抗値に基づいて乗り場錠スイッチの接点の接触不良が予知される。
【発明の効果】
【０００８】
この発明に係るエレベータシステムおよびその管理方法では、モニタ用スイッチを所定のタイミングで開閉し、モニタ用スイッチが閉じられたときにモニタ用スイッチの端子間の抵抗値を検出し、その検出値に基づいて乗り場錠スイッチの接点の接触不良の発生を予知する。したがって、モニタ用スイッチの端子間の抵抗値に基づき、乗り場錠スイッチの接点の非接触部分の抵抗値を間接的にモニタできるので、乗り場錠スイッチの接点の接触不良を正確に予知することができる。
【図面の簡単な説明】
【０００９】
【図１】この発明の実施の形態１によるエレベータシステムの要部を示す回路ブロック図である。
【図２】この発明の実施の形態２によるエレベータシステムの要部を示す図である。
【図３】図２に示した乗り場錠スイッチおよびモニタスイッチの動作を示す図である。
【発明を実施するための形態】
【００１０】
［実施の形態１］
本発明の実施の形態１によるエレベータシステムは、Ｎ階（ただし、Ｎは２以上の整数である）に亘って設けられた昇降路と、昇降路内を移動する移動室（かご）と、各階の乗り場と昇降路との間に設けられた乗り場ドアと、乗り場ドアと連動して開閉する乗り場錠スイッチとを備えている。乗り場ドアは、昇降路と乗り場を隔てている。乗り場ドアが開いた状態で移動室が昇降すると、利用者が昇降路内に転落してしまうので、そのような事態は絶対に避けなければならない。したがって、エレベータの通常運行では、Ｎ階の全ての乗り場ドアが閉じていることを確認することが安全上の必須条件である。
【００１１】
このため乗り場ドアの開閉検知を行なう必要があり、乗り場ドアには乗り場錠スイッチが設置されている。乗り場錠スイッチは、ドアの錠をかける錠部分と、錠をかけたことを検出するためのスイッチ部分とを含む。これにより、乗り場ドアが開いた状態で移動室が昇降することを禁止し、利用者の昇降路内への転落事故や移動室への接触事故を防止している。
【００１２】
図１は、このエレベータシステムの要部を示す回路ブロック図である。図１において、このエレベータシステムは、Ｎ個の乗り場錠スイッチ１と、接点状態モニタ装置５と、制御装置１４とを備える。乗り場錠スイッチ１は、各階に対応して設けられ、対応の階の乗り場ドアに取り付けられている。Ｎ個の乗り場錠スイッチ１は、制御装置１４の端子１４ａ，１４ｂ間に電気的に直列接続されている。Ｎ個の乗り場錠スイッチ１の全部が閉じなければ、Ｎ階の全ての乗り場ドアが閉じたと判断できず、移動室の昇降が禁止される仕組みである。乗り場錠スイッチ１は、可動接点２と２つの固定接点（端子）３，４を含み、対応の乗り場ドアと連動して開閉する。
【００１３】
すなわち、対応の乗り場ドアが閉じた場合は、可動接点２が固定接点３，４に接触して固定接点３，４間（端子間）が導通し、乗り場錠スイッチ１が閉状態（導通状態）になる。対応の乗り場ドアが開いた場合は、可動接点２が固定接点３，４から離れて固定接点３，４間が非導通になり、乗り場錠スイッチ１が開状態（非導通状態）になる。
【００１４】
この乗り場錠スイッチ１に接点の接触不良が起こると、制御装置１４が乗り場ドアが閉じたことを検出できなくなり、移動室の移動が禁止され、エレベータの運行に支障をきたす。したがって、このような事態になる前に、乗り場錠スイッチ１の保全（たとえば、接点２〜４の清掃、スイッチ１の交換など）を行なう必要がある。保全の必要な時期を予知することができれば、保全作業を効率良く行なうことができ、エレベータの運行の停止を必要最低限にすることができる。
【００１５】
このエレベータシステムでは、接点状態モニタ装置５により、乗り場錠スイッチ１の接点２〜４の状態をモニタする。接点状態モニタ装置５は、モニタ用スイッチ６と抵抗検出部１０を含む。モニタ用スイッチ６は、可動接点７と２つの固定接点８，９を含む。モニタ用スイッチ６の接点７〜９は、乗り場錠スイッチ１の接点２〜４と同じ形、寸法、および材質であることが好ましい。
【００１６】
モニタ用スイッチ６の接点７〜９を用いて、乗り場錠スイッチ１の接点２〜４の汚れや硫化を模擬する。乗り場錠スイッチ１の接点２〜４の汚れや硫化は、設置場所の環境によって異なることが分かっている。乗り場錠スイッチ１が地下または屋外に面している場所や排気ガスの多い場所に設置された場合は、他の場所に設置された場合よりも接点２〜４の接触不良が発生し易くなる。たとえば、接点２〜４が最も汚れ易い最下階の乗り場錠スイッチ１と同じ環境下（たとえば、乗り場錠スイッチ１の近傍）にモニタ用スイッチ６を設けることにより、接触不良の予知を効果的に行なうことができる。もちろん他の階にモニタ用スイッチ６を設けてもよいし、Ｎ階の各々にモニタ用スイッチ６および抵抗検出部１０を設けても構わない。Ｎ階の各々にモニタ用スイッチ６および抵抗検出部１０を設ける場合、各モニタ用スイッチ６は対応の乗り場錠スイッチ１と同じ環境下に置かれる。
【００１７】
モニタ用スイッチ６の開閉状態は、対応する乗り場錠スイッチ１の開閉状態と逆になる。すなわち、乗り場錠スイッチ１が開けられるとモニタ用スイッチ６は閉じられ、乗り場錠スイッチ１が閉じられるとモニタ用スイッチ６は開けられる。したがって、乗り場錠スイッチ１の接点２〜４が接触状態である場合は、モニタ用スイッチ６の接点７〜９が非接触状態になり、接点７〜９が汚れたり、硫化されたりして、接点７〜９の表面の抵抗値が増加する。乗り場錠スイッチ１の接点２〜４が非接触状態になると、モニタ用スイッチ６の接点７〜９が接触状態になり、接点７〜９が接触する。このとき、モニタ用スイッチ６の固定接点８，９間の抵抗値を検出する。したがって、モニタ用スイッチ６の固定接点８，９間の抵抗値から乗り場錠スイッチ１の接点２〜４の汚れと硫化の程度を間接的に検出することができ、接点２〜４の接触不良の発生を予知し、乗り場錠スイッチ１の保全の必要性の有無を判断することが可能となる。
【００１８】
モニタ用スイッチ６の固定接点８，９には、抵抗検出部１０が接続される。抵抗検出部１０は、電圧入力部１１、電圧検出部１２、および電圧値伝送部１３を含む。電圧入力部１１は、モニタ用スイッチ６の固定接点８，９間（端子間）に所定の電圧を印加する。電圧検出部１２は、固定接点８，９間の電圧を検出する。モニタ用スイッチ６が閉状態になって接点７〜９が接触したときに、接点７〜９の高抵抗部分が接触していれば、その抵抗値に比例した電圧が固定接点８，９間に発生する。したがって、固定接点８，９間の電圧を検出すれば、検出値によって接点７〜９間の抵抗値を知ることができる。電圧検出部１２によって検出された電圧値は、電圧値伝送部１３によって制御装置１４へ送信される。
【００１９】
制御装置１４は、電圧値伝送部１３から送信された電圧値に基づいて、乗り場錠スイッチ１の接点２〜４の接触不良の発生時期を予知し、予知した発生時期を示す信号を出力する。制御装置１４によって予知された接点２〜４の接触不良の発生時期は、たとえば保全室のモニタ装置の画面に表示される。エレベータシステムの管理者は、モニタ装置の画面に表示された接触不良の発生時期に基づいて、接触不良が発生する前に乗り場錠スイッチ１の保全を行なう。
【００２０】
この実施の形態１では、乗り場錠スイッチ１と逆に開閉するモニタ用スイッチ６を設け、モニタ用スイッチ６が閉じられたときにモニタ用スイッチ６の端子間の抵抗値を検出し、その検出値に基づいて乗り場錠スイッチ１の接点２〜４の接触不良を予知する。したがって、モニタ用スイッチ６の接点７〜９の接触部の抵抗値の検出値によって乗り場錠スイッチ１の接点２〜４の非接触部の抵抗値を間接的に検出できるので、乗り場錠スイッチ１の接点２〜４の接触不良を正確に予知することができる。
【００２１】
［実施の形態２］
図２は、本発明の実施の形態２によるエレベータシステムの要部を示す図である。図２において、このエレベータシステムは、乗り場錠スイッチ２０とモニタ用スイッチ３０を備える。乗り場錠スイッチ２０は、固定接点２１、可動接点２２、固定部材２３、および錠２４を含む。可動接点２２は固定部材２３の一方端部の下面に設けられ、固定部材２３の他方端部は錠２４の端部に固定されている。
【００２２】
モニタ用スイッチ３０は、固定接点３１、可動接点３２、固定部材３３、バネ部材３４、および連動バー３５を含む。固定部材３３は、中央部の支点３３ａにより、揺動可能に支持されている。可動接点３２は、固定部材３３の一方端部の下面に設けられている。固定部材３３の一方端部はバネ部材３４によって下方に付勢されている。固定部材３３の他方端部には、Ｌ字型の連動バー３５が設けられている。連動バー３５の下端の突起部３５ａには、錠２４の端部が当接されている。
【００２３】
乗り場ドアが閉められた場合は、図２に示すように、錠２４が図２中の水平状態にされて乗り場ドアに錠２４がかけられる。錠２４が水平状態にされると、乗り場錠スイッチ２０の可動接点２２が固定接点２１に接触し、乗り場錠スイッチ２０は閉状態になる。また、錠２４の端部が連動バー３５の下端の突起部３５ａを下方に押し、モニタ用スイッチ３０の可動接点３２が固定接点３１から離れ、モニタ用スイッチ３０が開状態になる。このとき、モニタ用スイッチの接点３１，３２が汚れ、硫化される。
【００２４】
乗り場ドアが開けられる場合は、図３に示すように、錠２４が時計針の回転方向に回転移動し、乗り場ドアの錠２４が外される。錠２４の先端部が斜め上方に移動されると、乗り場錠スイッチ２０の可動接点２２が固定接点２１から離れ、乗り場錠スイッチ２０は開状態になる。また、錠２４の端部が連動バー３５の下端の突起部３５ａから離れ、バネ部材３４が伸張して固定部材３３の一方端部を下方に押し、モニタ用スイッチ３０の可動接点３２が固定接点３１に接触し、モニタ用スイッチ３０が閉状態になる。このとき、モニタ用スイッチの接点３１，３２間の電圧値すなわち抵抗値が検出され、その検出値に基づいて乗り場錠スイッチ２０の接点２１，２２の接触不良の時期が予知される。
【００２５】
他の構成および動作は、実施の形態１と同じであるので、その説明は繰り返さない。この実施の形態２でも、実施の形態１と同じ効果が得られる。
【００２６】
なお、図２および図３に示すように、モニタ用スイッチ３０の固定接点３１の可動接点３２に対する位置、角度などを変える駆動機構３６を設ければ、接点３１，３２の表面の多数の点で抵抗値の上昇の程度をモニタすることができる。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００２８】
１，２０  乗り場錠スイッチ、２，７，２２，３２  可動接点、３，４，８，９，２１，３１  固定接点、５  接点状態モニタ装置、６，３０  モニタ用スイッチ、１０  抵抗検出部、１１  電圧入力部、１２  電圧検出部、１３  電圧値伝送部、１４  制御装置、２３，３３  固定部材、２４  錠、３４  バネ部材、３５  連動バー、３５ａ  突起部、３６  駆動機構。
【図１】
2012176832.tif 000003
【図２】
2012176832.tif 000004
【図３】
2012176832.tif 000005